(57)【要約】【課題】簡易な構成で排水トラップの封水が水廻り器具の排水口から噴出すことを防止する。【解決手段】複数の水廻り器具１２、１４と、各水廻り器具１２、１４の排水口１６、１８とそれぞれ連通した複数の排水トラップ２０、２２と、各排水トラップ２０、２２とそれぞれ連通した複数の排水管２６、２８と、各排水管２６、２８が合流する合流管３８と、前記排水管２６と連通し、空気圧により拡縮する拡縮室３６と、を備える。【選択図】図１
2011169081.tif 000002
【特許請求の範囲】
【請求項１】
複数の水廻り器具と、
各水廻り器具の排水口とそれぞれ連通した複数の排水トラップと、
各排水トラップとそれぞれ連通した複数の排水管と、
各排水管が合流する合流管と、
前記排水管又は前記合流管と連通し、空気圧により拡縮する拡縮室と、
を備える排水構造。
【請求項２】
一端部が前記排水管と連通し他端部が前記拡縮室と連通する空気抜き管を有する、請求項１に記載の排水構造。
【請求項３】
前記空気抜き管の前記他端部は上方に延出されている、請求項２に記載の排水構造。
【請求項４】
前記空気抜き管の前記他端部側は、鉛直方向に配置されている、請求項２又は請求項３に記載の排水構造。
【請求項５】
前記排水管に設けられ、外部からの空気を前記排水管へ流入させる通気弁を備える、請求項１〜請求項４のいずれか１項に記載の排水構造。
【請求項６】
前記拡縮室が袋体で構成される、請求項１〜請求項５のいずれか１項に記載の排水構造。
【請求項７】
前記水廻り器具から投入された投入物を粉砕し、その粉砕物を排水と共に流下可能にするディスポーザを備え、
前記拡縮室は、前記ディスポーザの内部に設けられている請求項６に記載の排水構造。
【請求項８】
前記複数の水廻り器具は、食洗機付き調理用流しであり、
前記拡縮室は、前記食洗機の内部に設けられている請求項６に記載の排水構造。
【請求項９】
前記合流管は、排水を横方向へ流す横引き管であり、
前記横引き管と連通して下方へ延び、前記横引き管からの排水を流下させることによりサイフォン力を発生させる竪管を備える請求項１〜請求項８のいずれか１項に記載の排水構造。
【発明の詳細な説明】
【技術分野】
【０００１】
本発明は、排水構造に関する。
【背景技術】
【０００２】
従来から、ユニットバスや洗面器等の水廻り器具の排水構造には、排水管からの臭気などを遮断するため、排水トラップが設けられている。この排水トラップは、排水管内が過度に負圧となったときに、騒音や破封等が発生し、また排水管内が過度に正圧となったときに、水廻り器具の排水口から排水トラップの封水が溢れる現象が発生する場合がある。
【０００３】
特に、洗面器付きのユニットバスやビルトインの食洗機が設置されたキッチン（調理用流し）などの様に、複数の水廻り器具１２、１４の排水口１６、１８とそれぞれ連通した複数の排水トラップ２０、２２を備えた排水構造１００では、１つの水廻り器具１２の排水口１６から排水があった際に、その他の水廻り器具１４に設けられた排水トラップ２２に与える影響が大きく、当該その他の排水トラップ２２において上述の破封や封水の噴出しが生じる可能性が高い（図９参照）。
【０００４】
ここで、負圧の対策（破封の対策）だけであれば、排水管に通気弁を設置することで対応することができる。しかし、正圧の対策（封水の噴出し）に関しては、今まで対応策などはなかった。
【０００５】
そこで、特許文献１には、排水設備が正圧になったときに、排水設備内の空気を可撓性空気溜めに流入して、当該可撓性空気溜めを膨らませることによって、正圧を減衰する圧力減衰装置が開示されている。
【先行技術文献】
【特許文献】
【０００６】
【特許文献１】特許第４２９５６１６号公報
【発明の概要】
【発明が解決しようとする課題】
【０００７】
しかしながら、特許文献１の圧力減衰装置は、複数の水廻り器具の排水口とそれぞれ連通した複数の排水トラップを備えた排水構造において使用することを想定していない。
【０００８】
本発明は、上記事実を考慮し、簡易な構成で排水トラップの封水が水廻り器具の排水口から噴出すことを防止することが可能な排水構造を提供することを目的とする。
【課題を解決するための手段】
【０００９】
本発明の第１態様に係る排水構造は、複数の水廻り器具と、各水廻り器具の排水口とそれぞれ連通した複数の排水トラップと、各排水トラップとそれぞれ連通した複数の排水管と、各排水管が合流する合流管と、前記排水管又は前記合流管と連通し、空気圧により拡縮する拡縮室と、を備える。
【００１０】
この構成によれば、複数の水廻り器具のうち１つの水廻り器具の排水口から排水トラップを介して排水管に排水が流れた際に、排水管又は合流管内が正圧状態となった場合でも、排水管又は合流管内の空気が拡縮室内に抜け、空気圧によって拡縮室が拡大する。これにより、排水管又は合流管内の正圧を吸収することができるため、合流管及び排水管と連通する他の排水トラップに正圧が作用することを抑制することができる。
排水トラップへの正圧の作用を抑制すれば、排水トラップの封水が水廻り器具の排水口から噴出すことを防止することが可能となる。
また、空気圧により拡縮する拡縮室で正圧を吸収するため、簡易な構成で排水トラップの封水が水廻り器具の排水口から噴出すことを防止することが可能となる。
また、排水管又は合流管が正圧状態から負圧状態に変化したときには、拡縮室内の空気が排水管又は合流管内に流入して、拡張した拡縮室が縮小し元の状態に戻る。これにより、負圧となった後に再び正圧となった場合でも、排水管又は合流管内の空気を拡縮室内に抜くことができる。
【００１１】
本発明の第２態様に係る排水構造は、一端部が前記排水管と連通し他端部が前記拡縮室と連通する空気抜き管を有する。
このように、空気抜き管を介して、排水管と拡縮室とを連通させることができる。
【００１２】
本発明の第３態様に係る排水構造は、前記空気抜き管の前記他端部は上方に延出されている。
このように、空気抜き管の他端部を上方に延出させることにより、排水管内の排水が空気抜き管に流入することを抑制することができる。
【００１３】
本発明の第４態様に係る排水構造は、前記空気抜き管の前記他端部側は、鉛直方向に配置されている。
この構成によれば、空気抜き管の他端部側、すなわち、空気抜き管の拡縮室との接続側を、鉛直方向に配置することにより、排水管の正圧を効果的に吸収することができる。
【００１４】
本発明の第５態様に係る排水構造は、前記排水管に設けられ、外部からの空気を前記排水管へ流入させる通気弁を備える。
この構成によれば、排水管が負圧となることに起因する、排水異音や、破封などを防止することができる。
【００１５】
本発明の第６態様に係る排水構造は、前記拡縮室が袋体で構成される。
このように、拡縮室を袋体で構成することにより、拡縮室を小さいスペースでより簡易な構成によって形成できる。
【００１６】
本発明の第７態様に係る排水構造は、前記水廻り器具から投入された投入物を粉砕し、その粉砕物を排水と共に流下可能にするディスポーザを備え、前記拡縮室は、前記ディスポーザの内部に設けられている。
この構成によれば、ディスポーザが袋体を保護し、外的な力によって袋体が損傷することを防止することができる。
【００１７】
本発明の第８態様に係る排水構造は、前記複数の水廻り器具は、食洗機付き調理用流しであり、前記拡縮室は、前記食洗機の内部に設けられている。
この構成によれば、食洗機が袋体を保護し、外的な力によって袋体が損傷することを防止することができる。
【００１８】
本発明の第９態様に係る排水構造は、前記合流管は、排水を横方向へ流す横引き管であり、前記横引き管と連通して下方へ延び、前記横引き管からの排水を流下させることによりサイフォン力を発生させる竪管を備える。
【００１９】
このように、上述の排水構造は、合流管が排水を横方向へ流す横引き管であり、前記横引き管と連通して下方へ延び、前記横引き管からの排水を流下させることによりサイフォン力を発生させる竪管を備える、所謂サイフォン排水構造にも適用できる。
【発明の効果】
【００２０】
本発明は、上記構成としたので、簡易な構成で排水トラップの封水が水廻り器具の排水口から噴出すことを防止することが可能な排水構造を提供することができる。
【図面の簡単な説明】
【００２１】
【図１】本発明の第１実施形態に係る排水構造の一部断面図である。
【図２】本発明の第１実施形態に係る排水構造の作用を説明する説明図である。
【図３】本発明の第２実施形態に係る排水構造の一部断面図である。
【図４】本発明の第３実施形態に係る排水構造の一部断面図であり、ディスポーザ周辺の拡大図である。
【図５】本発明の第１実施形態に係る排水構造の変形例を示す図である。
【図６】本発明の第１実施形態に係る排水構造の変形例を示す図である。
【図７】本発明の第１実施形態に係る排水構造の変形例を示す図である。
【図８】サイフォン排水構造を示す概略図である。
【図９】従来の排水構造の作用を説明する説明図である。
【発明を実施するための形態】
【００２２】
（第１実施形態）
以下、本発明の第１実施形態に係る排水構造について図面に基づき説明する。本発明の排水構造は、洗面器付きのユニットバスやビルトインの食洗機が設置された調理用流しなどの様に、複数の水廻り器具の排水口とそれぞれ連通した複数の排水トラップを備えた排水構造であれば、いかなる排水構造であってもよいが、第１実施形態では、ビルトインの食洗機が設置された調理用流しを一例に挙げて説明する。
−排水構造の構成−
【００２３】
図１は、本発明の第１実施形態に係る排水構造の一部断面図である。本発明の第１実施形態に係る排水構造１０は、水廻り器具としての台所流し１２と食洗機１４を備えている。台所流し１２と食洗機１４には、それぞれ排水が流れる排水口１６、１８が設けられている。台所流し１２の排水口１６には、目皿１９が設けられている。
【００２４】
また、各排水口１６、１８は、それぞれ汚臭やガス等の逆流を防止するための水封式の排水トラップ２０、２２と連通している。排水トラップ２０、２２の形状は、特に限定されないが、例えば台所流し１２の排水口１６と連通した排水トラップ２０は、いわゆる碗トラップで構成され、食洗機１４の排水口１８と連通した排水トラップ２２は、いわゆるＳトラップで構成されている。
【００２５】
台所流し１２側の排水トラップ２０の底部２０Ａには、排水トラップ２０の内部と連通する接続管２４が設けられ、この接続管２４には、排水トラップ２０から下方に延び、排水トラップ２０からの排水を下方へ流す排水管２６が接続されている。また、食洗機１４側の排水トラップ２２の下流側にある管端部２２Ａには、排水トラップ２２からの排水を下方へ流す排水管２８が接続されている。
【００２６】
台所流し１２側の排水管２６は、例えば上下方向（縦方向）に延びる垂直管で構成されている。排水管２６には、外部からの空気を排水管２６へ通過させると共に排水管２６から外部へ排水を通過させない通気弁３０が設けられている。また、通気弁３０より下方に位置する排水管２６の側面には、上斜め方向に延びる空気抜き管３２が接続されている。
【００２７】
この空気抜き管３２の排気口３２Ａには、袋体３４が固定され、排気口３２Ａから空気が出入りするようになっている。
袋体３４は、伸縮自在に弾性材料で形成されたもの等を用いることができ、材質としては、例えば、ゴム、ビニル又はゴム以外のエラストマー等を用いることができる。また、袋体３４の内部には、拡縮室３６が構成されている。
【００２８】
拡縮室３６は、空気抜き管３２を通じて排水管２６と連通し、空気圧により室内が拡縮可能な密閉空間とされ、排水により押圧された排水管２６内の空気が流入可能とされている。このような拡縮室３６は、内部に空気が流入することにより拡大し、内部から空気が流出することにより縮小する。
【００２９】
そして、拡縮室３６から排水管２６側へ流入する空気の流入抵抗が、通気弁３０から排水管２６側へ流入する空気の流入抵抗よりも小さくなっている。すなわち、排水管２６へは、通気弁３０からよりも拡縮室３６からのほうが、空気が流入しやすくなっている。
この空気の流入しやすさは、例えば、拡縮室３６を形成する膜部材の柔軟性が高くして、拡縮室３６が拡縮しやすくすることにより調整できる。また、膜部材として、ゴムなどの弾性変形するものを用いて、拡大した拡縮室３６を縮小しようとする復元力を発揮させることで、さらに、拡縮室３６から排水管２６に空気が流入しやすくなる。
また、拡縮室３６と排水管２６との間の経路における流通抵抗によっても、流入抵抗を調整可能となる。例えば、その経路の流路幅を広くすること及び流路長さを短くすることで流通抵抗を小さくし、拡縮室３６から排水管２６に空気が流入しやすくすることができる。
【００３０】
ここで、台所流し１２側の排水管２６と、食洗機１４側の排水管２８は、合流管３８で合流する。具体的には、排水管２６の下流端部２６Ａと、排水管２８の下流端部２８Ａが、合流管３８と接続されることにより合流する。
【００３１】
合流管３８の形状は特に限定されないが、例えば排水管２６及び排水管２８に接続されたＲ状のＲ管３８Ａと、Ｒ管３８Ａに接続され、不図示の排水立て管と連通する有勾配の横引き管３６Ｂから構成されている。
【００３２】
−排水構造の作用−
次に、本発明の第１実施形態に係る排水構造１０の作用を説明する。図２は、本発明の第１実施形態に係る排水構造１０の作用を説明する説明図である。また、図９は、従来の排水構造の作用を説明する説明図である。なお、図９では、図１の構成と実質的に同様の機能を有するものには同じ符号を付し、その説明を省略する。
【００３３】
まず、従来の排水構造１００では、図９（Ａ）に示すように、台所流し１２の排水口１６から排水のため流しがあった際に、排水は、排水トラップ２０を介して排水管２６を下方へ満流状態で流れる。この際、排水管２６内の空気が、図９（Ｂ）に示すように、排水によって押圧されて、排水管２６内は正圧状態となる。そして、排水管２６内の空気は、正圧状態を緩和するため、合流管３８及び排水管２８を介して他の水廻り器具、即ち食洗機１４の排水トラップ２２内へ流入し、排水トラップ２２内の封水を押圧する（正圧が作用する）。この押圧によって、図９（Ｃ）に示すように、排水トラップ２２の封水が食洗機１４の排水口１８から噴出する虞がある。
【００３４】
しかし、本発明の第１実施形態に係る排水構造１０の構成によれば、まず、図２（Ａ）に示すように、台所流し１２の排水口１６から排水のため流しがあった際に、排水は、排水トラップ２０を介して排水管２６を下方へ満流状態で流れる。この際、排水管２６内の空気は、図２（Ｂ）に示すように、排水によって押圧されて、排水管２６内は正圧状態となる。そして、排水管２６内の空気は、正圧状態を緩和するため、拡縮室３６内に流入し、空気圧によって袋体３４が膨出状態となり、拡縮室３６が拡大する。これにより、排水管２６内の正圧を吸収することができ、もって排水管２６が合流する合流管３８及び排水管２８と連通する他の排水トラップ２２に正圧が作用することを抑制することができる。
【００３５】
排水トラップ２２への正圧の作用を抑制すれば、排水トラップ２２の封水が、排水が流れる台所流し１２とは別の水廻り器具である食洗機１４の排水口１８から噴出すことを防止することが可能となる。
また、空気圧により拡縮する拡縮室３６で正圧を吸収するため、簡易な構成で排水トラップ２２の封水が食洗機１４の排水口１８から噴出すことを防止することが可能となる。
また、排水管２６が正圧状態から負圧状態に変化したときには、図２（Ｃ）に示すように、拡縮室３６内の空気が排水管２６内に流入して、袋体３４が縮んで、拡張した拡縮室３６が縮小し元の状態に戻る。
【００３６】
さらに、拡縮室３６が縮小し元の状態に戻った後、負圧が続いた場合でも、図２（Ｃ）に示すように、通気弁３０から空気が流入し、排水トラップ２２に負圧が作用し難くなる。したがって、排水トラップ２２に負圧が作用することに起因する、排水異音や、破封などを防止することができる。なお、排水管２６内が大気圧状態から負圧になった時も、同様に防止できる。
【００３７】
なお、排水管２６や排水管２８は、合流管３８と連通する不図示の排水立て管等の排水が詰まった際にも、正圧状態となる場合がある。しかし、この場合でも、排水管２６と連通した拡縮室３６が拡大することで、排水管２６や排水管２８内の正圧を吸収することができ、もって排水管２６や排水管２８につながる各排水トラップ２０、２２に正圧が作用することを抑制することができる。
【００３８】
また、拡縮室３６と連通する空気抜き管３２が、排水管２６に接続されている、即ち各水廻り器具（台所流し１２及び食洗機１４）の排水の合流地点（合流管３８）より上流側で接続されている。このため、排水管２６内の空気が、空気抜き管３２に抜けやすく、合流管３８及び排水管２８を介して他の排水トラップ２２に正圧が作用することをより抑制することができる。
【００３９】
また、排水管２６内の正圧と負圧とは繰り返されるので、第１実施形態のように、拡縮室３６内に抜けた空気が最初に排水管２６に流入してから、通気弁３０から空気が流入することにより、正圧となったときに拡縮室３６の室内が縮小されて元の状態に戻っていることが望ましい。具体的には、拡縮室３６から排水管２６側へ流入する空気の流入抵抗が、通気弁３０から排水管２６側へ流入する空気の流入抵抗よりも小さくなっていることが望ましい。仮に、拡縮室３６から排水管２６側へ流入する空気の流入抵抗が、通気弁３０から排水管２６側へ流入する空気の流入抵抗よりも高くなっていると、ずっと通気弁３０から通気して、袋体３４が膨らみ続け、最終的には最大限に膨出状態となってしまい、これ以上、空気が拡縮室３６へ抜けなくなって機能しなくなる。
拡縮室３６の室内が縮小されて元の状態に戻っていれば、負圧となった後に再び正圧となった場合でも、その排水に押圧される排水管２６内の空気を拡縮室３６内に抜くことができる。
【００４０】
（第２実施形態）
次に、本発明の第２実施形態に係る排水構造について図面に基づき説明する。本発明の排水構造は、洗面器付きのユニットバスやビルトインの食洗機が設置された調理用流しなどの様に、複数の水廻り器具の排水口とそれぞれ連通した複数の排水トラップを備えた排水構造であれば、いかなる排水構造であってもよいが、第２実施形態では、洗面器付きのユニットバスを一例に挙げて説明する。
−排水構造の構成−
【００４１】
図３は、本発明の第２実施形態に係る排水構造の一部断面図である。
図３に示す排水構造２００では、床スラブ２０２の上部に図示しない支持部材を介してユニットバスの床面としての浴室用防水パン２０４が配置されている。
浴室用防水パン２０４の上部には、一方の側に入浴用の湯水を溜める容器としての浴槽２０６が配置され、浴室用防水パン２０４の浴槽２０６以外の部位は、体を洗うための洗い場２０８となっている。なお、浴室用防水パン２０４の上部に浴槽２０６を配置した構造のユニットバスを、フルパン構造のユニットバスと呼ぶことがある。
【００４２】
浴槽２０６には、浴槽２０６内に溜めた湯水を排出するための排水口２１０が設けられており、栓２１２で塞ぐことが可能となっている。
浴室用防水パン２０４には、排水口２１０の下側に、排水口２１０からの湯水等を排出するための排水口２１４が設けられている。この排水口２１４には、目皿２１６が取り付けられている。
【００４３】
また、排水口２１４には、浴槽用排水配管２１８が接続されている。この浴槽用排水配管２１８の下流側の端部は、ユニットバスの浴室用防水パン２０４と床スラブ２０２との間に設けられた水封式の排水トラップ２２０に接続されている。
【００４４】
排水トラップ２２０は、床スラブ２０２の上部にある外筒２２２を備えている。外筒２２２の外周壁には、浴槽用排水配管２１８が接続される流入側接続管２２４が形成されている。
【００４５】
また、外筒２２２の外周部には、外筒２２２からオーバーフローした排水が流れる流出部２２６が形成され、この流出部２２６につながる流出側接続管２２８が、排水管２３０に接続される構成である。
【００４６】
さらに、外筒２２２には、外筒２２２の内側に環状の貯留空間２３２を形成するように、浴室用防水パン２０４側から内筒２３４が挿入されている。内筒２３４の下端部と外筒２２２の底部との間には、外筒２２２と内筒２３４との間を排水が流れる連通部２３６が形成されている。すなわち、外筒２２２の外周壁の上部をオーバーフローするまで外筒２２２に排水を溜めることで、排水トラップ２２０が封水され、排水管２３０を伝わって、臭いが浴槽用排水配管２１８へ流れない構成となっている。
【００４７】
また、内筒２３４の上部は、浴室用防水パン２０４に形成された凹部２３８に嵌る目皿蓋２４０で覆われており、内筒２３４に貯留した排水が直接見えないようになっていると共に、体を洗う際に使用した湯水、浴槽２０６から溢れた湯水等を目皿蓋２４０から内筒２３４へ排水できる構成である。
【００４８】
排水管２３０は、勾配管２４８の一部であり、勾配管２４８の残りを構成する合流管２５０とつながっている。排水管２３０の上部側面には、上方に向かって鉛直に延出している空気抜き管２４２が接続されている。
【００４９】
この空気抜き管２４２の排気口２４２Ａには、袋体２４４が固定され、排気口２４２Ａから空気が出入りするようになっている。袋体２４４の内部には、拡縮室２４６が構成されている。
【００５０】
ここで、勾配管２４８の一部を構成する合流管２５０には、排水管２３０の他に、排水トラップ２６０を介して洗面台２６２の排水口２６４と連通する排水管２６６が接続されており、合流管２５０において、浴槽２０６側の排水管２３０と、洗面台２６２側の排水管２６６が合流する。
【００５１】
−排水構造の作用−
次に、本発明の第２実施形態に係る排水構造２００の作用を説明する。本発明の第２実施形態に係る排水構造２００によれば、排水管２３０と連通した拡縮室２４６を備えるので、第１実施形態と同様に、例えば浴槽２０６の排水口２１０から排水のため流しがあり、排水管２３０内が正圧状態となった場合でも、拡縮室２４６が拡大することにより、排水管２３０内の正圧を吸収することができ、もって排水管２３０が合流する合流管２５０及び排水管２６６と連通する他の排水トラップ２６０に正圧が作用することを抑制することができる。
【００５２】
また、第２実施形態の排水構造２００では、第１実施形態の排水構造１０と異なり、空気抜き管２４２が上方に向かって鉛直に延出しているため、排水が空気抜き管２４２に流入することを防ぎ、もって排水管２３０の正圧を効果的に吸収することができる。
【００５３】
さらに、第２実施形態の排水構造２００では、第１実施形態の排水構造１０と異なり、通気弁３０を備えていないが、本発明は、第２実施形態のように通気弁３０を備えることを必須としない。よって、第１実施形態の排水構造１０においても、通気弁３０を備えない構成としても良い。
【００５４】
（第３実施形態）
次に、本発明の第３実施形態に係る排水構造について図面に基づき説明する。本発明の第３実施形態に係る排水構造は、第１実施形態や第２実施形態の複数の水廻り器具と複数の排水トラップとを含んで構成されるが、複数の水廻り器具のうち１つの水廻り器具には、ディスポーザが設けられている。
【００５５】
−排水構造の構成−
図４は、本発明の第３実施形態に係る排水構造の一部断面図であり、ディスポーザ周辺の拡大図である。
【００５６】
ディスポーザ３００は、水廻り器具３０２に固定され、水廻り器具３０２から下方に延びるディスポーザ本体３０４を有している。
このディスポーザ本体３０４は、水廻り器具３０２の排水口３０２Ａに接続される投入開口部３０６を有している。投入開口部３０６の下部には、投入開口部３０６と連通する粉砕部３０８が備えられ、粉砕部３０８の下方に粉砕部３０８を駆動するモーター３１０と排水通路３１２が設けられ、排水通路３１２の下方に排水トラップ３１４が設けられる。排水トラップ３１４は、立ち上がり管３１４Ａを覆い下端が封水部３１４Ｂに進入する椀状体３１４Ｃとから構成される。
【００５７】
排水トラップ３１４の下方には、排水トラップ３１４を構成する立ち上がり管３１４Ａと連通する管接続部３１６が設けられている。この管接続部３１６は、排水管３１８に接続されている。
【００５８】
排水管３１８には、第１実施形態のように、空気抜き管３２０が接続され、空気抜き管３２０の排気口３２０Ａには、袋体３２２が固定され、排気口３２０Ａから空気が出入りするようになっている。この袋体３２２は、空気抜き管３２０の排気口３２０Ａ側端部がディスポーザ本体３０４のハウジング３０４Ａ内に挿入されて、ディスポーザ３００に内蔵された構成である。そして、袋体３２２の内部には、拡縮室３２４が構成されている。
【００５９】
拡縮室３２４は、空気抜き管３２０を通じて排水管３１８と連通し、空気圧により室内が拡縮可能な密閉空間とされ、排水により押圧された排水管３１８内の空気が流入可能とされている。このような拡縮室３２４は、内部に空気が流入することにより拡大し、内部から空気が流出することにより縮小する。
【００６０】
−排水構造の作用−
以上、本発明の第３実施形態に係る排水構造の構成によれば、第１実施形態の排水構造と同様の効果を奏すると共に、袋体３２２がディスポーザ３００に内蔵されているため、ディスポーザ３００のハウジング３０４Ａが袋体３２２を保護し、外的な力によって袋体３２２が損傷することを防止することができる。
【００６１】
（変形例）
本発明は、上記の実施形態に限るものではなく、種々の変形、変更、改良が可能である。
【００６２】
例えば、第１実施形態の排水構造１０では、袋体３４を固定する空気抜き管３２が、排水管２６に接続される構成を説明したが、図５に示すように、排水管２６と排水管２８の合流地点に空気抜き管３２が設けられる構成にしてもよい。
また、図６、図７に示すように、空気抜き管３２が排水管２６ではなく、排水管２８に接続されるようにしてもよい。
また、空気抜き管３２は、各排水管の合流地点より上流側（排水管２６）に設けられる構成を説明したが、各排水管の合流地点より下流側、すなわち合流管３８に接続されるようにしてもよい。
【００６３】
また、本発明の第１実施形態に係る排水構造１０が適用される複数の水廻り器具として、ビルトインの食洗機が設置された調理用流しを一例に説明したが、本発明の排水構造は、第２実施形態のように、洗面器付きのユニットバスにも適用でき、また、二槽シンク（複数の槽を並列にもつ流し）にも適用が可能である。さらに、ユニットバス、洗面台、洗濯機、台所流し又はトイレのうち、少なくとも２つ以上の水廻り器具（連合流し）を有する排水構造にも適用できる。
【００６４】
第１実施形態では、排水トラップ２０が椀トラップで、排水トラップ２２がＳトラップである場合を説明したが、本発明の排水構造における排水トラップでは、Ｐトラップ、Ｕトラップ、逆碗トラップ、ボトルトラップ又はドラムトラップなど如何なる構造のトラップを採用してもよい。第２〜第３実施形態も同様に、他のトラップを用いることができる。
【００６５】
また、拡縮室３６等を形成する形成部材としては、袋体３４に限られず、種々の部材を用いることが可能である。例えば、不図示ではあるが、ピストンがシリンダ内で往復移動可能に設けられたシリンダ状部材で構成してもよい。この構成では、ピストンが往復移動することにより、シリンダの内部に形成される拡縮室３６が拡縮する。すなわち、シリンダ内に空気が流入することにより、ピストンが押し上げられて拡縮室３６が拡張され、シリンダ内から排水管２６内へ空気が流出することにより、ピストンが下がって拡縮室３６が縮小する。
【００６６】
また、不図示ではあるが、蛇腹状にされた側壁を有する筒状の蛇腹状部材であってもよい。蛇腹状部材は、一端部が閉鎖され、他端部が開放され、この開放端部が空気抜き管３２と連通している。蛇腹状部材は、蛇腹状の側壁が伸縮可能とされており、側壁が伸長することにより、拡縮室３６が拡大され、側壁が縮むことにより、拡縮室３６が縮小される。
【００６７】
また、通気弁３０としては、メンブレンバルブなどのように弾性体を用いたものや、ボール式逆止弁など、種々の機械要素により構成された逆止弁を用いることが可能である。通気弁３０は、排水管２６に設ける場合を説明したが、空気抜き管３２や排水管２８に設ける構成であってもよい。さらに、本発明の排水構造では、通気弁３０を有さない構成であってもよい。
【００６８】
また、空気抜き管の形状は、図１や図３に示すものに限られず、如何なる形状をも採用することができる。
【００６９】
また、第３実施形態では、袋体３２２が、ディスポーザ３００に内蔵される場合を説明したが、食洗機１４に内蔵されてもよい。この構成によれば、食洗機１４が袋体３２２を保護し、外的な力によって袋体３２２が損傷することを防止することができる。
また、第３実施形態で説明した図４に示すディスポーザ３００の構成は、本発明に係る構成以外は一例であり、本発明は他の様々なディスポーザにも適用が可能である。
【００７０】
また、第１〜第３実施形態では、排水のため流しがあった際の排水管２６の正圧状態を吸収する場合を説明したが、第１〜第３実施形態の構成では、排水の洗い流しがあった際の排水管２６の正圧状態をも吸収できる。
【００７１】
また、本発明のユニットバスの排水構造は、従来からある、勾配のある合流管３８を備えた勾配排水構造を想定しているが、サイフォン力を利用して水回り器具からの排水を効率よく排出するサイフォン排水構造に適用することもできる。
【００７２】
図８は、サイフォン排水構造を示す概略図である。サイフォン排水構造４００は、複数階で構成された主に集合住宅に用いられ、排水を下方へ流す排水立て管４０２を備えている。この排水立て管４０２は、集合住宅の上下方向（縦方向）に延設され、集合住宅の各階の床スラブ２０２を貫いている。
集合住宅の各階には、上述の台所流し１２が設けられており、この台所流し１２には、排水トラップ２０を介して、台所流し１２から排出される排水を流す排水導入管としての排水管２６が接続されている。この排水管２６の下流端部には、サイフォン排水管４０４が接続されている。
このサイフォン排水管４０４は、排水管２６に接続される横引き管４０６と、この横引き管４０６と連通する竪管４０８とを備えて構成されている。
【００７３】
横引き管４０６は、床スラブ２０２上で横方向に延設されている。この横引き管４０６は、無勾配で配置され、台所流し１２や食洗機１４から横引き管４０６へ流入した排水を横方向へ流す。
この横引き管４０６と連通する竪管４０８は、排水立て管４０２に沿って、上下方向（縦方向）に延設されている。この竪管４０８は、横引き管４０６から竪管４０８へ流入した排水を下方へ流下させることによりサイフォン力を発生させる。横引き管４０６内の排水には、竪管４０８で発生したサイフォン力により引っ張られることで、排出方向へ向かうサイフォン力が作用される。
【００７４】
この竪管４０８と排水立て管４０２とを連結する排水継手４１０が設けられている。この排水継手４１０は、竪管４０８からの排水を排水立て管４０２へ合流させる。
【００７５】
上述のように、本発明の排水構造は、無勾配の横引き管４０６と連通して下方へ延び、横引き管４０６からの排水を流下させることによりサイフォン力を発生させる竪管４０８を備える、所謂サイフォン排水構造にも適用できる。なお、排水管２６と排水管２８が合流する合流管３８は、図８に示すように排水管２６の下端部であってもよいし、横引き管４０６であってもよい。
【符号の説明】
【００７６】
１０  排水構造
１２  台所流し（水廻り器具）
１４  食洗機（水廻り器具）
１６  排水口
１８  排水口
２０  排水トラップ
２２  排水トラップ
２６  排水管
２８  排水管
３０   通気弁
３２   空気抜き管
３４   袋体
３６   拡縮室
３８   合流管
２００  排水構造
２１０  排水口
２１４  排水口
２２０  排水トラップ
２３０  排水管
２４２  空気抜き管
２４４  袋体
２４６  拡縮室
２４８  勾配管
２５０  合流管
２６０  排水トラップ
２６２  洗面台（水廻り器具）
２６４  排水口
２６６  排水管
３００  ディスポーザ
３０２  水廻り器具
３０２Ａ  排水口
３１４  排水トラップ
３１８  排水管
３２０  空気抜き管
３２２  袋体
３２４  拡縮室
４００  サイフォン排水構造
４０６  横引き管
４０８  竪管
【図１】
2011169081.tif 000003
【図２】
2011169081.tif 000004
【図３】
2011169081.tif 000005
【図４】
2011169081.tif 000006
【図５】
2011169081.tif 000007
【図６】
2011169081.tif 000008
【図７】
2011169081.tif 000009
【図８】
2011169081.tif 000010
【図９】
2011169081.tif 000011